(57)【要約】 【課題】旋回走行時などにおいて畦などに当たりにくい状態で溝切り体を備える水田作業機を提供する。【解決手段】溝切り体１４を、作業用連結姿勢と、作業用連結姿勢に対して車体前方側に変位した非作業用連結姿勢とに切り換え自在に水田作業装置Ａに連結してある。水田作業装置Ａを上昇非作業位置に上昇させる操作によって作動操作されて、溝切り体１４を非作業用連結姿勢に切り換え操作する操作手段を備えてある。【選択図】図１
2014083038.tif 000002
【特許請求の範囲】
【請求項１】
自走車体の後部に下降作業位置と上昇非作業位置とに昇降操作自在に連結された水田作業装置と、前記水田作業装置の後部に連結され、圃場に排水溝を形成する溝切り体と、を備え、
前記溝切り体を、作業用連結姿勢と、前記作業用連結姿勢に対して車体前方側に変位した非作業用連結姿勢とに切り換え自在に前記水田作業装置に連結し、
前記水田作業装置を前記上昇非作業位置に上昇させる操作によって作動操作されて、前記溝切り体を前記非作業用連結姿勢に切り換え操作する操作手段を備えてある水田作業機。
【請求項２】
前記溝切り体を、車体横向き軸芯まわりに下降揺動して前記作業用連結姿勢に切り換わり、前記車体横向き軸芯まわりに上昇揺動して前記非作業用連結姿勢に切り換わるように構成してある請求項１に記載の水田作業機。
【請求項３】
前記自走車体から揺動昇降操作自在に延出されて、前記水田作業装置を前記下降作業位置と前記上昇非作業位置とに昇降操作自在に支持するリンク機構を備え、
前記溝切り体を前記作業用連結姿勢と前記非作業用連結姿勢とに切り換え操作する操作ケーブルを備えて、前記操作ケーブルが前記リンク機構の上昇操作によって作動操作されて前記溝切り体を前記非作業用連結姿勢に切換え操作し、前記操作ケーブルが前記リンク機構の下降操作によって作動操作されて前記溝切り体を前記作業用連結姿勢に切換え操作するように構成して、前記操作手段を構成してある請求項１又は２に記載の水田作業機。
【発明の詳細な説明】
【技術分野】
【０００１】
本発明は、自走車体の後部に下降作業位置と上昇非作業位置とに昇降操作自在に連結された水田作業装置と、前記水田作業装置の後部に連結され、圃場に排水溝を形成する溝切り体と、を備えた水田作業機に関する。
【背景技術】
【０００２】
従来、例えば特許文献１に示される直播機があった。この直播機では、走行車体の後側に直播装置が昇降可能に装着され、直播装置の後部に溝切り板が連結されている。
【先行技術文献】
【特許文献】
【０００３】
【特許文献１】特開２０１０−１３６６２９号公報
【発明の概要】
【発明が解決しようとする課題】
【０００４】
上記した水田作業機では、溝切り体は、水田作業装置から後方に突出しがちとなる。また、水田作業装置から後方に突出せずとも、自走車体からは、水田作業装置に隠れて視難い箇所に位置することにより、旋回走行の際、溝切り体が畦などに当たる問題が起き易い。
【０００５】
本発明の目的は、上記した溝切り体の問題を回避し易い水田作業機を提供することにある。
【課題を解決するための手段】
【０００６】
本発明による水田作業機は、自走車体の後部に下降作業位置と上昇非作業位置とに昇降操作自在に連結された水田作業装置と、前記水田作業装置の後部に連結され、圃場に排水溝を形成する溝切り体と、を備え、前記溝切り体を、作業用連結姿勢と、前記作業用連結姿勢に対して車体前方側に変位した非作業用連結姿勢とに切り換え自在に前記水田作業装置に連結し、前記水田作業装置を前記上昇非作業位置に上昇させる操作によって作動操作されて、前記溝切り体を前記非作業用連結姿勢に切り換え操作する操作手段を備えてあることを特徴とする。
【０００７】
本構成によると、水田作業装置を上昇非作業位置に上昇させる操作を行なえば、操作手段が作動操作されて溝切り体を非作業用連結姿勢に切り換え操作するから、水田作業装置を上昇非作業位置に上昇させる操作を行なうだけで、溝切り体が非作業用連結姿勢に自ずと切り換わって作業時よりも車体前方側に移動する。
【０００８】
従って、本発明によると、旋回走行するのに、水田作業装置を上昇非作業位置に上昇させると、溝切り体が作業時よりも車体前方側に自ずと移動するのであり、溝切り体が畦などに当たり難くい。
【０００９】
本発明において、前記溝切り体を、車体横向き軸芯まわりに下降揺動して前記作業用連結姿勢に切り換わり、前記車体横向き軸芯まわりに上昇揺動して前記非作業用連結姿勢に切り換わるように構成すると好適である。
【００１０】
本構成によると、溝切り体が非作業用連結姿勢に切り換わったときの溝切り体の連結高さが作業時よりも高くなる。
【００１１】
従って、本発明によると、旋回走行するのに、溝切り体が作業時よりも車体前方側に移動するのみならず、溝切り体の対地高さが、水田作業装置の上昇操作による持ち上げによって高くなるのに加え、溝切り体の非作業用連結姿勢への切り換わりによっても高くなり、溝切り体の畦などに対する当りをより回避し易い。
【００１２】
本発明において、前記自走車体から揺動昇降操作自在に延出されて、前記水田作業装置を前記下降作業位置と前記上昇非作業位置とに昇降操作自在に支持するリンク機構を備え、前記溝切り体を前記作業用連結姿勢と前記非作業用連結姿勢とに切り換え操作する操作ケーブルを備えて、前記操作ケーブルが前記リンク機構の上昇操作によって作動操作されて前記溝切り体を前記非作業用連結姿勢に切換え操作し、前記操作ケーブルが前記リンク機構の下降操作によって作動操作されて前記溝切り体を前記作業用連結姿勢に切換え操作するように構成して、前記操作手段を構成すると好適である。
【００１３】
本構成によると、リンク機構に連係される操作ケーブルを備えるだけの簡単な構造によって操作手段を構成できる。
【００１４】
従って、本発明によると、水田作業装置を上昇非作業位置に上昇させる操作を行なうだけで操作簡単に溝切り体が非作業用連結姿勢に切り換わるものを、構造簡単な操作手段の採用によって安価に得ることができる。
【図面の簡単な説明】
【００１５】
【図１】水田作業機の全体を示す側面図である。
【図２】水田作業装置の作業部を示す平面図である。
【図３】溝切り体を示す側面図である。
【図４】溝切り体を作業用連結姿勢に切り換えた状態における操作手段を示す側面図である。
【図５】溝切り体を非作業用連結姿勢に切り換えた状態における操作手段を示す側面図である。
【図６】昇降制御及び警報制御を示すブロック図である。
【図７】整地構造を示す平面図である。
【図８】別の実施構造を備えた整地板を示す平面図である。
【発明を実施するための形態】
【００１６】
以下、本発明の実施の形態を図面に基づいて説明する。
図１は、本発明の実施例に係る水田作業機の全体を示す側面図である。図１に示すように、本発明の実施例に係る水田作業機は、左右一対の駆動及び操向自在な前車輪１，１、左右一対の駆動自在な後車輪２，２、車体前部に設けた原動部３、車体後部に設けられた運転座席４を有した運転部を備えて、原動部３に配備したエンジン１５からの駆動力によって前車輪１及び後車輪２を駆動して自走するように構成し、かつ運転部に搭乗して運転するように構成した自走車を備え、自走車の車体フレーム６の後部にリンク機構５を介して水田作業装置Ａを連結してある。水田作業装置Ａは、リンク機構５が油圧シリンダ２０によって車体フレーム６に対して上下に揺動操作されることにより、接地フロート１２が圃場泥土に接地した下降作業位置と、接地フロート１２が圃場泥土から高く上昇した上昇非作業位置とに昇降操作されるように構成してある。
【００１７】
つまり、水田作業機は、水田作業装置Ａを下降作業位置に下降させて自走車を走行させることにより、水田作業装置Ａによって４条の播種作業及び４条の施肥作業を行なうように構成してある。
【００１８】
水田作業装置Ａについて説明する。
図２は、水田作業装置Ａの作業部を示す平面図である。図１，２に示すように、水田作業装置Ａは、リンク機構５を構成する機体上下向きの後部リンク５ｃの下部に前端側が連結された機体フレームＦと、機体フレームＦの前部に機体横方向に一列に並ぶよう配備した４つの施肥用の作業部１０と、機体フレームＦの後部に機体横方向に一列に並ぶよう配備した４つの播種用の作業部９と、機体フレームＦの下方に配備した機体フレーム横方向に長い一つの接地フロート１２とを備えて構成してある。
【００１９】
機体フレームＦは、後部リンク５ｃに対して機体前後向きのローリング支点軸５ｄを介して連結されている。従って、水田作業装置Ａは、ローリング支点軸５ｄのローリング軸芯Ｘまわりに自走車に対してローリングする。
【００２０】
図２に示すように、機体フレームＦは、ローリング支点軸５ｄに前端側上部が連結された機体フレーム横方向に長い駆動ケース１９と、この駆動ケース１９の両横端部から各別に機体フレーム後方向きに延出した左右一対の伝動ケース２６とを備えて構成してある。
【００２１】
駆動ケース１９は、駆動ケース１９の横方向での中央部を構成するとともに前端側上部がローリング支点軸５ｄに連結されているフィードケース１９ａと、フィードケース１９ａの下端側の両横側部から横外向きに延出され、駆動ケース１９の横側部を構成するとともに延出端部が伝動ケース２６の基部に連結されている左右一対の出力軸ケース２４，２４とを備えて構成してある。
【００２２】
図１，２に示すように、４つの播種用の作業部９は、機体フレームＦに固定された機体横方向に長い播種フレーム（図示せず）に支持される種子繰出し機構２８と、種子繰出し機構２８が備える繰出しケース（図示せず）の上部に取付けられた種子タンク２７と、繰出しケースの下部から機体下方向きに延出した播種筒２９とを備えて構成してある。
【００２３】
４つの播種用の作業部９は、自走車の後部から後方向きに延出する回転伝動軸１８（図１参照）によってフィードケース１９ａに伝達されるエンジン１５からの駆動力によって駆動されるように構成してある。
【００２４】
すなわち、フィードケース１９ａに入力した駆動力を、出力軸ケース２４から左右一対の伝動ケース２６，２６の基端側（前端側）に入力する。左側の伝動ケース２６に入力した駆動力を、この伝動ケース２６の延出端部（後端部）に機体横向きに貫設してある出力軸４１から機体左側の２つの種子繰出し機構２８，２８の繰出しロール駆動軸（図示せず）にギヤ伝動機構（図示せず）を介して伝達する。右側の伝動ケース２６に入力した駆動力を、この伝動ケース２６の延出端部（後端部）に機体横向きに貫設してある出力軸４１から機体右側の２つの種子繰出し機構２８，２８の繰出しロール駆動軸（図示せず）にギヤ伝動機構（図示せず）を介して伝達する。
【００２５】
従って、水田作業装置Ａは、各種子タンク２７に貯留された種子を、種子タンク２７に連結している種子繰出し機構２８によって種子タンク２７から繰出し、各種子繰出し機構２８が繰り出した種子を、播種筒２９から圃場の泥土面に落下させて供給する。
【００２６】
図１，２に示すように、４つの施肥用の作業部１０は、機体フレームＦに連結された施肥フレーム５４（図３参照）に支持される肥料繰出し機構５７と、各肥料繰出し機構５７が備える繰出しケース（図示せず）の上部に取付けられた肥料タンク５６と、繰出しケースの吐出筒部から機体後方下方向きに延出する施肥筒５８と、施肥筒５８の延出端部に蛇腹筒６３を介して連通された作溝施肥器５９とを備えて構成してある。
【００２７】
４つの施肥用の作業部１０は、フィードケース１９ａに伝達されるエンジン１５からの駆動力によって駆動されるように構成してある。
【００２８】
すなわち、フィードケース１９ａに入力された駆動力を、出力軸ケース２４の左側端部から突出する出力軸２３の端部から連動機構６５を介して一本の左側の繰出し駆動軸（図示せず）に伝達する。左側の繰出し駆動軸は、機体左側の２つの肥料繰出し機構５７，５７が備える繰出しロールに連結され、機体左側の２つの肥料繰出し機構５７，５７に共通の繰出し駆動軸になっている、駆動ケース１９に入力された駆動力を、出力軸ケース２４の右側端部から突出する出力軸２３の端部から連動機構６５を介して一本の右側の繰出し駆動軸（図示せず）に伝達する。右側の繰出し駆動軸は、機体右側の２つの肥料繰出し機構５７，５７が備える繰出しロールに連結され、機体右側の２つの肥料繰出し機構５７，５７に共通の繰出し駆動軸になっている。
【００２９】
従って、水田作業装置Ａは、各肥料タンク５６に貯留された粒状の肥料を、肥料タンク５６に連結している肥料繰出し機構５７によって肥料タンク５６から繰出し、各肥料繰出し機構５７が繰り出した肥料を施肥筒５８を介して作溝施肥器５９に供給し、作溝施肥器５９により、播種用の作業部９による作業対象箇所の横側近くで圃場の泥土面に溝を形成し、形成した溝に施肥筒５８からの肥料を供給する。肥料を供給した後の溝を、作溝施肥器５９の後方に位置する溝埋め体６０（図２参照）によって埋め戻す。
【００３０】
図１，２に示すように、水田作業装置Ａの後部に、播種作業及び施肥作業に伴って圃場に排水溝を形成する溝切り体１４を設けてある。溝切り体１４は、４つの播種用の作業部９のうちの内側の一対の作業部９，９による作業対象箇所の間に排水溝を形成するように配備してある。
【００３１】
図２，３に示すように、溝切り体１４は、車体前後方向視で下端側ほど横幅が狭い下狭まり形状の溝切り刃部１４ａを下端側に有し、この溝切り刃部１４ａによって排水溝を形成する溝切り本体１４Ａと、溝切り本体１４Ａの上部から両横外側に延出され、溝切り刃部１４ａが形成した排水溝の横側に整地作用する整地板部１４ｂとを備えている。
【００３２】
図２，３に示すように、溝切り体１４の前部に、溝切り刃部１４ａの前端部に固定された連結部３１を設け、この連結部３１を左右一対の伝動ケース２６，２６の延出端側にわたって連結された支持杆５５が備える支持部３５に連結軸３６を介して連結してある。詳述すると、連結部３１に設けた左右一対の縦辺部３１ａ，３１ａと、左右一対の縦辺部３１ａ，３１ａの両外側に位置するように構成して支持部３５に設けた左右一対の縦板部３５ａ，３５ａとにわたって連結軸３６を装着してある。
【００３３】
連結軸３６が連結部３１を支持部３５に対して回動自在に連結することにより、溝切り体１４が連結軸３６の軸芯で成る車体横向き軸芯Ｐまわりに上下揺動する。溝切り刃部１４ａの前端部から車体前方側に延出している支持アーム３２と、施肥フレーム５４から車体後方向きに延出された支持フレーム３３とに連結されたスプリング３４により、溝切り体１４が下降付勢され、左右一対の縦辺部３１ａ，３１ａが支持部３５に設けたストッパー部３５ｂに当て付け付勢されるように構成してある。支持部３５のストッパー部３５ｂは、左右一対の縦板部３５ａ，３５ａにわったって取付けたピンによって構成してある。
【００３４】
つまり、溝切り体１４は、車体横向き軸芯Ｐまわりに上下揺動自在に支持される揺動形になっている。しかし、溝切り体１４は、圃場から受ける接地反力が設定値を超えない限り、縦辺部３１ａがストッパー部３５ｂに当接することによって設定される作業用連結姿勢にスプリング３４による下降付勢によって維持され、溝切り刃部１４ａによって圃場に排水溝を形成する。
【００３５】
溝切り体１４は、石や硬い土塊に乗り上がるなどにより、設定値を越えた接地反力を受けると、この接地反力によってスプリング３４に抗して上昇揺動する。従って、溝切り体１４の石や土塊との接触による破損を回避できる。
【００３６】
図３に二点鎖線で示すように、溝切り体１４が車体横向き軸芯Ｐまわりにスプリング３４に抗して上昇揺動操作され、溝切り刃部１４ａの前端側が支持部３５の左右一対の縦板部３５ａ，３５ａの間に入り込むことにより、溝切り体１４の連結姿勢が、作業用連結姿勢に対して車体前方側に変位した非作業用連結姿勢に切り換わるように構成してある。
【００３７】
図４，５に示すように、溝切り体１４とリンク機構５とにわたって連結した操作ケーブル４４を備えて、溝切り体１４のための操作手段４５を構成し、水田作業装置Ａを上昇非作業位置に上昇させる操作によって溝切り体１４を非作業用連結姿勢に切換えることができ、水田作業装置Ａを下降作業位置に下降させる操作によって溝切り体１４を作業用連結姿勢に切換えることができるように構成してある。
【００３８】
すなわち、操作ケーブル４４は、アウターケーブル４４ａとインナーケーブル４４ｂとを備えて構成してある。アウターケーブル４４ａを、支持杆５５に設けたアウターホルダー４６と、後部リンク５ｃの上端側に設けたアウターホルダー４７とにわたって取付けてある。インナーケーブル４４ｂを、溝切り体１４に設けたインナー連結部４８と、リンク機構５を構成するロワーリンク５ａに設けたインナー連結部４９とにわたって連結してある。
【００３９】
図５は、溝切り体１４を非作業用連結姿勢に切り換えた状態の操作手段４５を示す側面図である。図５に示すように、水田作業装置Ａを上昇非作業位置に上昇させる操作、すなわち油圧シリンダ２０の制御弁２１（図６参照）を上昇位置に切り換える昇降スイッチ２２の操作を行なうと、リンク機構５が油圧シリンダ２０によって上昇揺動操作されて後部リンク５ｃとロワーリンク５ａとの間に相対揺動が発生し、インナーケーブル４５ｂが後部リンク５ｃとロワーリンク５ａとの相対揺動によってリンク機構側に引き操作される。
【００４０】
従って、操作手段４５は、水田作業装置Ａを上昇非作業位置に上昇させる操作が行なわれることにより、リンク機構５によってリンク機構側に引っ張り操作されるインナーケーブル４５ｂによって溝切り体１４をスプリング３４に抗して非作業用連結姿勢に引き上げ操作する。非作業用連結姿勢に切り換えられた状態の溝切り体１４は、作業用連結姿勢で位置する箇所よりも車体前方側に移動した箇所に位置する。また、非作業用連結姿勢に切り換えられた状態の溝切り体１４の後端１４ｒは、支持フレーム３３の後端３３ｒよりも車体前方側に位置する。支持フレーム３３は、後端部に設けられた支持部によって薬剤散布装置（図示せず）を支持するように構成してある。
【００４１】
図４は、溝切り体１４を作業用連結姿勢に切り換えた状態の操作手段４５を示す側面図である。図４に示すように、水田作業装置Ａを下降作業位置に下降させる操作、すなわち油圧シリンダ２０の制御弁２１を下降位置に切り換える昇降スイッチ２２の操作を行なうと、リンク機構５が下降揺動操作されて後部リンク５ｃとロワーリンク５ａとの間に相対揺動が発生し、インナーケーブル４４ｂが後部リンク５ｃとロワーリンク５ａとの相対揺動によって溝切り体側に緩め操作される。
【００４２】
従って、操作手段４５は、水田作業装置Ａを下降作業位置に下降させる操作が行なわれることにより、リンク機構５によるインナーケーブル４４ｂの緩め操作と、スプリング３４の操作力とによって溝切り体１４を作業用連結姿勢に下げ操作する。
【００４３】
リンク機構５は、水田作業装置Ａを脱着できるように構成され、かつ水田作業装置Ａに替えて、苗植付け装置７０、除草機７１、直播機７２、溝堀機７３などの各種作業機を連結できるように構成されている。
【００４４】
図６に示すように、リンク機構５における後部リンク５ｃに、水田作業装置Ａなどの各種作業装置が連結されていない状態を検出する非連結検出スイッチ７５を設け、この非連結検出スイッチ７５を連係させた制御装置７６に警報制御手段７７を備えてある。
【００４５】
警報制御手段７７は、非連結検出スイッチ７５からの検出情報と、走行用の副変速レバー７８が低速位置［Ｌ］と高速位置［Ｈ］のうちの高速位置［Ｈ］に操作されたことを検出する高速検出スイッチ７９からの検出情報とを基に、作業装置が連結されていない状態で走行用の副変速装置（図示せず）が高速の変速状態に変速されたことを判別すると、警報ブザー８０を作動させるように構成してある。
【００４６】
つまり、自走車は、後部に作業装置が連結されていないと、前後重量がバランスし難い状態になるから、作業装置を連結しない状態で高速走行しようとした際には、警報を発するように構成してある。
【００４７】
図６に示すように、後部リンク５ｃに、連結された苗植付け装置７０から検出情報を入力するための情報コネクタ８１、及び直播機７２及び除草機７１に電力供給する電源コネクタ８２を設け、情報コネクタ８１び電源コネクタ８２が接続及び非接続状態にあることの情報を制御装置７６に入力するように構成してある。制御装置７６に、昇降制御手段８３を備えてある。
【００４８】
昇降制御手段８３は、情報コネクタ８１及び電源コネクタ８２が接続状態と非接続状態とのいずれであるかの情報を入力し、この情報を基にリンク機構５の昇降制御ための制御目標高さを変更して設定し、昇降スイッチ２２から上昇及び下降指令を入力すると、リンク機構５の自走車に対する揺動高さを検出するポテンショメータ８４からの検出情報と、設定した制御目標高さとを基に、油圧シリンダ２０の制御弁２１を切り換え制御してリンク機構５を昇降制御するように構成してある。昇降スイッチ２２は、操作レバー２２ａの揺動操作によって操作するように構成してある。
【００４９】
つまり、自走車には、苗植付け装置７０に備えられた線引きマーカを上昇格納姿勢に保持するマーカロック機構（図示せず）が設けられている。マーカロック機構は、リンク機構５が所定高さまで上昇操作されることにより、自動的に作用するように構成されている。
【００５０】
苗植付け装置７０を連結した場合、苗載せ台の苗残量検出センサに連係された情報ハーネス７０ａが情報コネクタ８１に接続されることにより、昇降制御手段８３は、情報コネクタ８１が接続状態になったことの情報を基に、リンク機構５の上昇制御のための制御目標高さとして、マーカロック機構が作用する高さを設定する。
【００５１】
従って、苗植付け装置７０を連結した場合、昇降スイッチ２２を操作して上昇指令を出力するだけで、苗植付け装置７０が上昇非作業高さに上昇操作され、線引きマーカが上昇格納姿勢に自動的に保持される。
【００５２】
直播機７２及び除草機７１を連結した場合、直播機７２及び除草機７１が備える薬剤散布部に電力を供給する電源ハーネス７２ａ，７１ａが電源コネクタ８２に接続されることにより、昇降制御手段８３は、電源コネクタ８２が接続状態になったことの情報を基に、リンク機構５の上昇制御のための制御目標高さとして、苗植付け装置７０が連結されたときよりも低い制御目標高さを設定し、かつリンク機構５の下降制御のための制御目標高さとして、直播機７２及び除草機７１の作業に適切な高さとして予め設定してある制御目標高さを設定する。
【００５３】
溝堀機７３を連結した場合、情報コネクタ８１及び電源コネクタ８２が使用されないことにより、昇降制御手段８３は、情報コネクタ８１及び電源コネクタ８２が非接続状態であることの情報を基に、リンク機構５を上昇制御する制御目標高さとして、苗植付け装置７０が連結されたときよりも低い制御目標高さを設定し、かつリンク機構５の下降制御のための制御目標高さとして、溝堀機７３に適切な高さとして予め設定してある高さを設定する。
【００５４】
従って、直播機７２、除草機７１及び溝堀機７３を連結した場合、昇降スイッチ２２を操作して上昇及び下降指令を出力するだけで、直播機７２、除草機７１及び溝堀機７３が苗植付け装置７０の上昇非作業高さよりも低い上昇非作業高さに上昇操作され、直播、除草及び溝堀作業に適切な下降作業高さに下降操作される。
【００５５】
図７は、一つの接地フロート１２に替えて３つの接地フロート８６を装備した場合に備える整地装置を示す平面図である。
【００５６】
図７に示すように、３つの接地フロート８６を装備した場合の整地装置には、左右の後車輪２と接地フロート８６との間に配備するレーキ状の車輪跡整地板８７と、隣り合う一対の接地フロート８６，８６の間に配備するレーキ状のフロート間整地板８８とを備えてある。
【００５７】
図８は、別の実施構造を備えた整地板９０を示す平面図である。
別の実施構造を備えた整地板９０は、主整地板９１と、左右一対の幅調節整地板９２，９２とを備えて、整地幅調節が可能な横幅可変形に構成してある。
【００５８】
図８（ａ）は、主整地板９１と幅調節整地板９２とを分離させた状態の整地板９０を示す平面図である。主整地板９１には、レーキ状の整地部９１ａと、整地部９１ａの前端側に一体成形した整地板支持部９１ｂとを備えてある。幅調節整地板９２は、レーキ状の整地部９２ａと、整地部９２ａの前端側に一体形成した連結部９２ｂとを備えてある。連結部９２ｂの横幅を整地部９２ａの横幅より広く設定してある。
【００５９】
図８（ａ）において、左右の幅調節整地板９２を二点鎖線で示した状態の整地板９０のように、整地板９０は、左右の幅調節整地板９２を、主整地板９１の横内側に寄り合う状態で主整地板９１の上面側に重ね、幅調節整地板９２の連結部９２ｂと主整地板９１の整地板支持部９１ｂとにわたって連結ネジ９３を装着することにより、幅狭側に調節した状態になる。
【００６０】
図８（ｂ）は、幅広側に調節した状態の整地板９０を示す平面図である。図８（ｂ）に示すように、整地板９０は、左右の幅調節整地板９２を、主整地板９１の横外側に離間し合う状態で主整地板９１の上面側に重ね、幅調節整地板９２の連結部９２ｂと主整地板９１の整地板支持部９１ｂとにわたって連結ネジ９３を装着することにより、幅広側に調節した状態になる。
【００６１】
〔別実施例〕
（１）上記した実施例では、溝切り体１４をスプリング３４の操作力で作業用連結姿勢に切換えるよう構成した例を示したが、溝切り体１４にウエイトを装着し、ウエイトの重力で溝切り体１４を作業用連結姿勢に切り換え操作するよう構成して実施してもよい。
【００６２】
（２）上記した実施例では、操作ケーブル４４を備えて操作手段４５を構成した例を示したが、溝切り体１４を作業用連結姿勢と非作業用連結姿勢とに切換える電動モータ、油圧シリンダなどのアクチュエータと、水田作業装置Ａを昇降させる操作を検出する検出スイッチと、検出スイッチからの情報に基づいてアクチュエータを制御する制御手段とを備えて、操作手段を構成して実施してもよい。
【産業上の利用可能性】
【００６３】
本発明は、播種用の作業部９及び施肥用の作業部１０を有した水田作業装置Ａを備えた水田作業機の他、苗植作業部を有した水田作業装置を備えた水田作業機にも利用可能である。
【符号の説明】
【００６４】
５        リンク機構
１４      溝切り体
４４      操作ケーブル
４５      操作手段
Ａ        水田作業装置
Ｐ        車体横向き軸芯
【図１】
2014083038.tif 000003
【図２】
2014083038.tif 000004
【図３】
2014083038.tif 000005
【図４】
2014083038.tif 000006
【図５】
2014083038.tif 000007
【図６】
2014083038.tif 000008
【図７】
2014083038.tif 000009
【図８】
2014083038.tif 000010